(57)【特許請求の範囲】
【請求項１】
モータＭの正転または反転により、文字板１０（１１，１２）が上下動作する形式の時計１００において、下記ａ、ｂ、ｃ、ｄ、ｅ、ｆ、ｇおよびｈを備えたことを特徴とするからくり時計。
ａ：モータＭの回転駆動に連係して駆動力を伝達する複数歯車からなる輪列６を備えること。
ｂ：文字板１０の裏面に一端部２１，３１が回転可能に取付けられる複数のリンク部２０，３０を備えること。
ｃ：前記複数のリンク部２０，３０は、その他端部２２が時計支持板（中板１）に回転可能に取付けられる文字板支持用のリンク部（支持用リンク部２０）と、その他端部３２が前記輪列の終端歯車８に固着される文字板駆動用のリンク部（駆動用リンク部３０）とを備えること。
ｄ：前記文字板１０は、前記文字板支持用のリンク部（支持用リンク部２０）に支持されるとともに、前記文字板駆動用のリンク部（駆動用リンク部３０）によって回転可能に設けられること。
ｅ：前記文字板１０（１１，１２）の裏面にボス部１５を形成するとともに、前記複数のリンク部２０，３０の一端部２１，３１に円形切欠部２４，３４を形成すること。
ｆ：前記文字板１０（１１，１２）の前記ボス部１５に、プーリ５０を介装して前記リンク部２０，３０の前記円形切欠部２４，３４を装着すること。
ｇ：前記プーリ５０は、座付きネジ６０で前記ボス部１５に固着されるものであって、筒状のプーリ本体５１とリング状の鍔部５２を備え、前記筒状のプーリ本体５１の内周面は、前記ボス部１５の先端部に当接する小径部５１ａと、これよりも内径の大きい大径部５１ｂを備えること。
ｈ：前記プーリ５０は、座付きネジ６０で前記ボス部１５に固着されること。
【請求項２】
文字板１０は、左右に二分割された一対の文字板（分割文字板１１，１２）であり、これらの文字板（分割文字板１１，１２）における中央の分割部位に対し、前記文字板支持用のリンク部（支持用リンク部２０）および文字板駆動用のリンク部（駆動用リンク部３０）が左右対称に配置されており、さらに前記輪列６の前記終端歯車８に噛合する、当該終端歯車と同形状の補助歯車９が設けられており、前記終端歯車８および補助歯車９が、それぞれ前記一対の文字板駆動用のリンク部（駆動用リンク部３０）に各別に固着されて、前記一対の文字板（分割文字板１１，１２）は前記中央の分割部位に対し左右対称に動作することを特徴とする請求項１記載のからくり時計。
【発明の詳細な説明】
【技術分野】
【０００１】
本発明は、文字板が上下動作する構造のからくり時計に関する。
【背景技術】
【０００２】
一般的なからくり時計において、文字板が上下動作するものが知られている。この種のからくり時計は、例えば正時になると、１枚に組み合わされていた文字板が、複数枚に分割するとともに所定の軸の周りに上下動を伴って回転するもの、重畳的に組み合わされていた複数枚の文字板が、それぞれの軸の周りに回転するもの、或いは、文字板の一部が上下動を伴って回転するものなどが案出されている（特許文献１〜４）。
【０００３】
上述の文字板が回転する構造のからくり時計は、一つのモータを駆動源として、これを複数の歯車からなる輪列を用い、モータの正転および反転で、一つの文字板或いは各個の分割文字板を駆動するのが一般的である。
【先行技術文献】
【特許文献】
【０００４】
【特許文献１】特開２００１−１５３９７１号公報
【特許文献２】特開２００４−０２８９７２号公報
【特許文献３】特開２００４−０３７３１９号公報
【特許文献４】特開２０１３−０２４８３１号公報
【発明の概要】
【発明が解決しようとする課題】
【０００５】
上述した文字板が上下動する構造のからくり時計において、文字板の上下駆動にリンク部材を用いることが知られている。この場合、リンク部材は、文字板を駆動させるもの（駆動用リンク部）と、その文字板の駆動を保持するもの（支持用リンク部）が用いられる。そして、リンク部材を用いるものにおいては、文字板にはボス部を設けて、このボス部に、プーリを介して、リンク部材の一端部に設けた円形切欠部を係合させるものが考えられる。
【０００６】
上述のように、文字板のボス部とリンク部材との係合にプーリを用いると、プーリの存在により、文字板の駆動構造に信頼性が向上する反面、ボス部とプーリとの間、および、プーリとリンク部材（とりわけリンク部材の前記円形切欠部）との間に、嵌合隙間を設けることになるので、つまり嵌合隙間を２ヶ所設けるので、その分、アガキ（ガタツキ）が多くなる。上述したアガキは、文字板の開閉の際にリンク部材の動作に不具合を生じるおそれがある。
【０００７】
本発明は、文字板が上下動する構造のからくり時計において、文字板のボス部とリンク部材との係合にプーリを用いることに得られる利点を維持させつつ、文字板の上昇下降により生じ得るリンク部材の動作の不具合を回避することができるからくり時計を提案するものである。
【課題を解決するための手段】
【０００８】
本願第１請求項に記載した発明は、実施例で用いた符号を付して記すと、モータＭの正転または反転により、文字板１０（１１，１２）が上下動作する形式の時計１００において、下記ａ、ｂ、ｃ、ｄ、ｅ、ｆ、ｇおよびｈを備えたことを特徴とするからくり時計である。
ａ：モータＭの回転駆動に連係して駆動力を伝達する複数歯車からなる輪列６を備えること。
ｂ：文字板１０の裏面に一端部２１，３１が回転可能に取付けられる複数のリンク部２０，３０を備えること。
ｃ：前記複数のリンク部２０，３０は、その他端部２２が時計支持板（中板１）に回転可能に取付けられる文字板支持用のリンク部（支持用リンク部２０）と、その他端部３２が前記輪列の終端歯車８に固着される文字板駆動用のリンク部（駆動用リンク部３０）とを備えること。
ｄ：前記文字板１０は、前記文字板支持用のリンク部（支持用リンク部２０）に支持されるとともに、前記文字板駆動用のリンク部（駆動用リンク部３０）によって回転可能に設けられること。
ｅ：前記文字板１０（１１，１２）の裏面にボス部１５を形成するとともに、前記複数のリンク部２０，３０の一端部２１，３１に円形切欠部２４，３４を形成すること。
ｆ：前記文字板１０（１１，１２）の前記ボス部１５に、プーリ５０を介装して前記リンク部２０，３０の前記円形切欠部２４，３４を装着すること。
ｇ：前記プーリ５０は、座付きネジ６０で前記ボス部１５に固着されるものであって、筒状のプーリ本体５１とリング状の鍔部５２を備え、前記筒状のプーリ本体５１の内周面は、前記ボス部１５の先端部に当接する小径部５１ａと、これよりも内径の大きい大径部５１ｂを備えること。
ｈ：前記プーリ５０は、座付きネジ６０で前記ボス部１５に固着されること。
【０００９】
本願第２請求項に記載した発明は、請求項１において、文字板１０は、左右に二分割された一対の文字板（分割文字板１１，１２）であり、これらの文字板（分割文字板１１，１２）における中央の分割部位に対し、前記文字板支持用のリンク部（支持用リンク部２０）および文字板駆動用のリンク部（駆動用リンク部３０）が左右対称に配置されており、さらに前記輪列６の前記終端歯車８に噛合する、当該終端歯車と同形状の補助歯車９が設けられており、前記終端歯車８および補助歯車９が、それぞれ前記一対の文字板駆動用のリンク部（駆動用リンク部３０）に各別に固着されて、前記一対の文字板（分割文字板１１，１２）は前記中央の分割部位に対し左右対称に動作することを特徴とするからくり時計である。
【発明の効果】
【００１０】
本願第１請求項に記載した発明において、例えば正時にからくり動作が開始して、モータが正転すると、これに連係する輪列が駆動し、終端歯車が回転する。同時に、終端歯車に固着されている駆動用リンク部が回動し、この駆動用リンク部により文字板が下降する。このように、双方のリンク部２０，３０が回動した場合、プーリ５０は、座付きネジ６０でボス部１５に固着されるので、当該プーリを用いていてもボス部とプーリとの間にアガキ（ガタツキ）は生じない。
【００１１】
そして、文字板が下降した後にモータが反転すると文字板が上昇して、文字板は元の位置に戻る。このような一連の動作において、リンク部２０，３０の円形切欠部２４，３４はプーリと嵌合しているので、つまりボス部と係合しているのではないので、リンク部の動きがプーリによって規制され、これにより文字板の上昇下降により生じ得るリンク部材の動作の不具合を回避することができ、結果、文字板の駆動構造において動作の信頼性向上を図ることができる。
【００１２】
また、本願第２請求項に記載した発明のように、文字板が左右に二分割された一対の文字板として、これらの文字板における中央の分割部位に対し、前記文字板支持用のリンク部および文字板駆動用のリンク部を左右対称に配置し、さらに前記輪列の前記終端歯車に噛合する、当該終端歯車と同形状の補助歯車を設けて、前記終端歯車および補助歯車が、それぞれ前記一対の文字板駆動用のリンク部に各別に固着されて、前記一対の文字板が左右対称に動作するように構成すると、からくり効果の著効性も一層高まるものとなる。
【図面の簡単な説明】
【００１３】
【図１】本発明の実施例に係り、からくり時計を示す正面図（分割文字板が正規位置）である。
【図２】本発明の実施例に係り、からくり時計を示す正面図（分割文字板が３時、９時の位置）である。
【図３】本発明の実施例に係り、からくり時計を示す正面図（分割文字板が６時の位置）である。
【図４】本発明の実施例に係り、時計筐体を示す正面図（分割文字板が正規位置）である。
【図５】本発明の実施例に係り、時計筐体を示す正面図（分割文字板が３時、９時の位置）である。
【図６】本発明の実施例に係り、時計筐体を示す正面図（分割文字板が６時の位置）である。
【図７】本発明の実施例に係り、分割文字板の回転軌跡を示す図である。
【図８】本発明の実施例に係り、時計支持板（地板）に設けたモータユニットおよび輪列を正面方向から見た図である。
【図９】本発明の実施例に係り、時計支持板（地板）に設けたモータユニットおよび輪列を背面方向から見た図である。
【図１０】本発明の実施例に係り、時計支持板（中板）に設けた文字板（分割文字板）を正面方向から見た図である。
【図１１】本発明の実施例に係り、文字板（分割文字板）にリンク部（支持用リンク部および駆動用リンク部）を取付けた状態を示す斜視図である。
【図１２】本発明の実施例に係り、文字板（分割文字板）にリンク部（支持用リンク部）の一端部を取付け前の状態を示す分解斜視図である。
【図１３】本発明の実施例に係り、文字板（分割文字板）にリンク部（支持用リンク部および駆動用リンク部）の一端部を取付け前の状態を示す分解斜視図である。
【図１４】本発明の実施例に係り、文字板（分割文字板）にリンク部（支持用リンク部および駆動用リンク部）の一端部を取付けた状態を示す一部縦断斜視図である。
【図１５】本発明の実施例に係り、駆動用リンク部の他端部を終端歯車および補助歯車に固着した箇所（図面の下端部）を示す斜視図である。
【図１６】本発明の実施例に係り、文字板のボス部とプーリの嵌合状態を示す拡大断面図である。
【発明を実施するための最良の形態】
【００１４】
以下に、本発明の実施例を図面に基づいて説明する。
【００１５】
本例における時計１００のからくり構造は、図１〜図７に示すように、例えば正時にモータＭが正転して、文字板１０（１１，１２）が上下動作するものである。すなわち、本例の文字板１０は、左右に二分割された一対の文字板（分割文字板１１，１２）であり、これらの分割文字板１１，１２は、図１および図４に示す位置から、それぞれ左右に拡開しながら（図２および図５）半円弧状の軌跡（図７の矢印参照）を辿って下方へ移動し、下方で合体する（図３および図６）。爾後、この軌跡を辿って上方へ移動し、再び当初の位置に復帰するように構成されている。なお、図中、符号３は時計筐体、符号４は装飾体である。
【００１６】
モータＭの駆動力は、図８〜図１０に示すように、モータＭおよびモータユニット５に連係する輪列６、連係歯車７、終端歯車８に駆動伝達される。そして、文字板１０（１１，１２）の上下動作は、後述する駆動用リンク部３０を介して、行われる。なお、本例の場合は、さらに、終端歯車８に噛合する当該終端歯車と同形状の補助歯車９を用いて、各々別に分割文字板１１，１２の上下動作が行われる。
【００１７】
文字板１０（１１，１２）は、文字板支持用のリンク部たる支持用リンク部２０によって上述した半円弧状の軌跡を確実に辿るように保持されている。そして、分割文字板１１，１２には、中央の分割部位に対し、支持用リンク部２０および駆動用リンク部３０が左右対称に配置されている。これにより、分割文字板１１，１２は、中央の分割部位に対し、左右対称に動作する。
【００１８】
図１１〜図１４に示すように、支持用リンク部２０は、その一端部２１が、文字板１０（１１，１２）の裏面に回転可能に取付けられる。同様に、駆動用リンク部３０も、その一端部３１が文字板１０（１１，１２）の裏面に回転可能に取付けられる。
【００１９】
本例の場合、文字板１０（１１，１２）の裏面に、リング状に突出する外側リング部１３と、内側リング部１４、中央にボス部１５を形成している。そして、これに対応させて、支持用リンク部２０の一端部２１と駆動用リンク部３０の一端部３１にはそれぞれ外側リング部２３，３３、内側に円形切欠部２４，３４を形成し、これらの間にプーリ５０を装着して、座付きネジ６０で、文字板１０（１１，１２）と、支持用リンク部２０の一端部２１および駆動用リンク部３０の一端部３１とを、回転可能に結合している。
【００２０】
支持用リンク部２０の他端部２２は、時計支持板（中板１）に設けたボス部（図示を省略）に回転可能に取付けられる。また、駆動用リンク部３０の他端部３２は、図１５に示すように、終端歯車８または補助歯車９の中央部に固着される。
【００２１】
プーリ５０は、上述のように、座付きネジ６０で前記ボス部１５に固着されるものであるところ、さらに本例では、図１６に示すように、プーリ５０は筒状のプーリ本体５１とリング状の鍔部５２を備え、この筒状のプーリ本体５１の内周面は、ボス部１５の先端部に当接する小径部５１ａと、これよりも内径の大きい大径部５１ｂを備える。
【００２２】
このようにしてプーリ５０が座付きネジ６０で前記ボス部１５に固着されると、座付きネジ６０の座６１でボス部１５の先端部が押圧されるので、ボス部１５が膨らみ、これにより、ボス部１５の当該先端部と、プーリ５０の小径部５１ａとの当接が、堅固にもたらされることになる。
【００２３】
なお、前述のように、プーリ本体５１の内周面に、小径部５１ａよりも内径の大きい大径部５１ｂを設けているので、この大径部５１ｂとボス部１５の外周面との間に隙間５３が形成される。この隙間５３は、ボス部１５の先端部が押圧されて生じる当該ボス部１５の膨らみの、逃げ用スペースとして作用する。
【００２４】
上記のように構成される本例の時計１００において、例えば正時に図示を省略した制御部から駆動信号が送られて、モータＭが正転すると、これに連係する輪列６および連係歯車７が駆動し、終端歯車８と補助歯車９が回転する。同時に、終端歯車８および補助歯車９に固着されている駆動用リンク部３０が回動し、この駆動用リンク３０により文字板１０（１１，１２）が半円弧の軌跡を形成して下降する。
【００２５】
モータＭが反転すると、輪列６の終端歯車８が反転して、文字板駆動用のリンク部（駆動用リンク部３０）を作動させて文字板１０を上昇させ、当該文字板１０が元の位置に戻る。
【００２６】
このように、双方のリンク部２０，３０が回動した場合、プーリ５０は、座付きネジ６０でボス部１５に固着されるので、当該プーリを用いていてもボス部とプーリとの間にアガキ（ガタツキ）は生じない。また、リンク部の動きはプーリによって規制され、これにより文字板の上昇下降により生じ得るリンク部材の動作の不具合を回避することができるので、文字板の駆動構造において動作の信頼性向上を図ることができる。
【００２７】
さらに、本例のように、分割文字板１１，１２に、支持用リンク部２０および駆動用リンク部３０を左右対称に配置し、さらに終端歯車８と補助歯車９を設けて、分割文字板１１，１２が左右対称に偏心回転動作するように構成した場合は、からくり効果の著効性も一層高まるものとなる。
【産業上の利用可能性】
【００２８】
本発明のからくり時計は、リンク部材を設けてもその動作の信頼性向上を図ることができ、また、からくり効果にも優れたものであり、壁掛け時計などの時計一般に好適に利用することができるものである。
【符号の説明】
【００２９】
１    時計支持板（中板）
２    時計支持板（地板）
３    時計筐体
４    装飾体
５    モータユニット
６    輪列
７    連係歯車
８    終端歯車
９    補助歯車
１０    文字板
１１    分割文字板
１２    分割文字板
１３    外側リング部
１４    内側リング部
１５    ボス部
２０    支持用リンク部
２１    一端部
２２    他端部
２３    外側リング部
２４    円形切欠部
３０    駆動用リンク部
３１    一端部
３２    他端部
３３    外側リング部
３４    円形切欠部
５０    プーリ
５１    プーリ本体
５１ａ    小径部
５１ｂ    大径部
５２    鍔部
５３    隙間
６０    座付きネジ
６１    座
１００    時計
Ｍ    モータ
【図１】
0006469040.tif 000002
【図２】
0006469040.tif 000003
【図３】
0006469040.tif 000004
【図４】
0006469040.tif 000005
【図５】
0006469040.tif 000006
【図６】
0006469040.tif 000007
【図７】
0006469040.tif 000008
【図８】
0006469040.tif 000009
【図９】
0006469040.tif 000010
【図１０】
0006469040.tif 000011
【図１１】
0006469040.tif 000012
【図１２】
0006469040.tif 000013
【図１３】
0006469040.tif 000014
【図１４】
0006469040.tif 000015
【図１５】
0006469040.tif 000016
【図１６】
0006469040.tif 000017